Podtech/llm-jp-corpus-v4-ja_patent huggingface dataset:
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
ベースに固定されるように構成された手術用アームと、
手術用器具ホルダーアセンブリであって、
通路を有する手術用器具ホルダー、および
前記手術用器具ホルダーの第１の端部上にある取付インターフェース
を含む、手術用器具ホルダーアセンブリと、
手術用器具であって、
前記手術用器具の第１の面上にある相互取付インターフェース、
前記相互取付インターフェースを前記手術用器具ホルダーの前記取付インターフェースに解放可能に取り付けるように構成された取付機構、および
前記手術用器具の前記第１の面から延在する細長状本体であって、前記手術用器具ホルダーの前記通路を通過可能な細長状本体
を含む、手術用器具と
を含む、手術用器械操作システム。
【請求項２】
前記手術用アームが手術支援ロボットシステムによって操作可能である、請求項１に記載のシステム。
【請求項３】
前記手術用器具ホルダーアセンブリは、さらに、円盤状の形状を有する外側ハウジングを含む、請求項１に記載のシステム。
【請求項４】
前記手術用器具ホルダーアセンブリは、前記手術用器具ホルダーを前記外側ハウジングに対して回転させる少なくとも１つのモータを含む、請求項３に記載のシステム。
【請求項５】
前記通路、前記手術用器具ホルダーアセンブリの前記細長状本体、および前記手術用器具ホルダーアセンブリの回転軸は、同軸上に整列されている、請求項４に記載のシステム。
【請求項６】
前記通路は、前記手術用器具の前記細長状本体が前記回転軸の周りで連続的に回転できるようにする、請求項５に記載のシステム。
【請求項７】
前記取付インターフェースは、前記取付インターフェースから外向きに突出する複数のトルクカップラーを含む、請求項１に記載のシステム。
【請求項８】
前記相互取付インターフェースは、前記複数のトルクカップラーと相互に噛合するように構成される複数の器械入力部を含む、請求項７に記載のシステム。
【請求項９】
前記複数のトルクカップラーのそれぞれは、駆動機構に結合される、請求項８に記載のシステム。
【請求項１０】
各トルクカップラー用の前記駆動機構は、前記トルクカップラーを回転させ、それにより、それぞれの前記器械入力部を回転させるように構成されている、請求項９に記載のシステム。
【請求項１１】
複数の前記駆動機構が、前記通路の周りでリング構成に配置されている、請求項９または１０に記載のシステム。
【請求項１２】
前記細長状本体は、内視鏡用の操縦可能なカテーテル、または腹腔鏡用の硬質カテーテルのうちの一方である、請求項１に記載のシステム。
【請求項１３】
前記手術用器械操作システム用の手術用ドレープは、前記手術用器具ホルダーアセンブリと前記手術用器具との間に無菌境界を生じさせる、請求項１に記載のシステム。
【請求項１４】
前記手術用ドレープは、前記手術用器具ホルダーと、前記取付インターフェースを介して前記手術用器具ホルダーに取り付けられた前記手術用器具との間に位置決めされる滅菌アダプターとを含み、前記滅菌アダプターは、前記手術用器具ホルダーに回転可能に固定されている、請求項１３に記載のシステム。
【請求項１５】
前記滅菌アダプターは、前記手術用器具ホルダーと前記手術用器具との間でデータ、電力、および電気信号を伝送することができる、請求項１４に記載のシステム。
【請求項１６】
手術用器具ホルダーアセンブリに手術用器具を取り付けるための方法であって、
手術用器具の細長状本体を手術用器具ホルダーアセンブリの通路に通過させ、
前記手術用器具の取付機構が前記手術用器具を前記手術用器具ホルダーアセンブリに固定するまで、前記手術用器具の前記細長状本体を、前記手術用器具ホルダーアセンブリの前記通路を通して前進させ、
前記手術用器具ホルダーアセンブリを使用して前記手術用器具を操作し、
前記手術用器具ホルダーアセンブリから前記手術用器具を解放し、
前記通路から前記手術用器具の前記細長状本体を取り外すこと
を含む、方法。
【請求項１７】
前記通路から前記手術用器具の前記細長状本体を取り外すことは、前記手術用器具の遠位部分を、手術部位から離れるように動かすことを含む、請求項１６に記載の方法。
【請求項１８】
前記手術用器具ホルダーアセンブリを使用して前記手術用器具を動作させることは、前記手術用器具の外側ハウジングを前記手術用器具ホルダーアセンブリのハウジングに対して回転させることを含む、請求項１６に記載の方法。
【請求項１９】
前記手術用器具ホルダーアセンブリは、前記手術用器具上にある相互取付インターフェースと噛合する取付インターフェースを含む、請求項１６に記載の方法。
【請求項２０】
前記手術用器具の前記細長状本体は、前記手術用器具の前記相互取付インターフェースから延在する、請求項１９に記載の方法。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
定量吸入装置用のアクチュエータハウジングであって、
第１の近位端及び第１の遠位端を有する、実質的に中空の管状第１部分と、
前記第１の近位端に形成されている基底部分であって、基準平面を有する、基底部分と、
前記基底部分内に形成されているアクチュエータ座部と、
前記アクチュエータ座部内に形成されており、計量された流体の噴霧を分配するように動作可能な、アクチュエータノズルと、
第２の近位端及び第２の遠位端を有し、マウスピースを画定している、実質的に中空の第２部分と、を備え、前記第２の近位端が前記第１の近位端に隣接して配置されており、前記第２の遠位端が前記マウスピースの端部を画定し、前記実質的に中空の第２部分が、前記マウスピースの前記第２の近位端から前記第２の遠位端に延びる、屋根区画及び床区画を画定しており、前記屋根区画が、前記基準平面に対して上向きに角度付けされた外側輪郭を有し、前記床区画が、前記基底部分に並置されており、前記基準平面と実質的に平行な外側輪郭を有する、アクチュエータハウジング。
【請求項２】
前記屋根区画の前記外側輪郭が、前記基準平面に対して、１０度〜４０度の上向き角度を画定している、請求項１に記載のアクチュエータハウジング。
【請求項３】
前記アクチュエータノズルが、前記基準平面に対して上向きに角度付けされていることにより、前記基準平面に対して上向きに角度付けされた噴霧を生じさせる、請求項１又は２に記載のアクチュエータハウジング。
【請求項４】
定量吸入装置用のアクチュエータハウジングであって、
第１の近位端及び第１の遠位端、並びに、前記第１の遠位端から前記第１の近位端に延びる第１部分軸を有する、実質的に中空の管状第１部分と、
前記第１の近位端に形成されている基底部分と、
前記基底部分内に形成されているアクチュエータ座部と、
前記アクチュエータ座部内に形成されており、計量された流体の噴霧を分配するように動作可能な、アクチュエータノズルと、
第２の近位端及び第２の遠位端を有し、マウスピースを画定している、実質的に中空の管状第２部分と、を備え、前記第２の近位端が前記第１の近位端に隣接して配置されており、前記第２の遠位端が前記マウスピースの端面を画定し、前記実質的に中空の管状第２部分が、前記アクチュエータノズルの中心から前記マウスピースの前記端面の中心に延びる、第２部分軸を有し、
前記アクチュエータノズルが、前記第１部分軸に垂直な平面に対して遠位方向で上向きに角度付けされている、噴霧軸を画定している、アクチュエータハウジング。
【請求項５】
前記第２部分軸が、前記第１部分軸に垂直な平面に対して、上向きに角度付けされている、請求項４に記載のアクチュエータハウジング。
【請求項６】
前記噴霧軸が、前記第１部分軸に垂直な前記平面に対して、前記遠位方向において１０度〜５０度上向きに角度付けされている、請求項４又は５に記載のアクチュエータハウジング。
【請求項７】
定量吸入装置用のアクチュエータハウジングであって、
第１の遠位端及び第１の近位端、並びに、前記第１の遠位端から前記第１の近位端に延びる第１部分軸を有する、略管状の実質的に中空の第１部分と、
前記第１の近位端に形成されている基底部分と、
前記基底部分内に形成されているアクチュエータ座部と、
前記アクチュエータ座部内に形成されており、計量された流体の噴霧を分配するように動作可能な、アクチュエータノズルと、
第２の近位端及び第２の遠位端を有し、マウスピースを画定している、略管状の実質的に中空の第２部分と、を備え、前記第２の近位端が前記第１の近位端に隣接して配置されており、前記第２の遠位端が前記マウスピースの端部を画定し、前記略管状の実質的に中空の第２部分が、前記アクチュエータノズルの中心から前記マウスピースの前記端部の中心に延びる、第２部分軸を有し、前記マウスピースの前記端部が、前記第２部分軸に垂直な平面に対して角度付けされているマウスピース前面を画定している、開放前面を有し、前記実質的に中空の第２部分が、前記基底部分に並置されている床部分と、屋根部分とを画定しており、前記屋根部分が、前記第２部分軸の方向で、前記床部分よりも更に遠位に延びるように、前記マウスピース前面が角度付けされている、アクチュエータハウジング。
【請求項８】
前記マウスピース前面が、前記第２部分軸に垂直な平面に対して、１０度〜５０度の角度である、請求項７に記載のアクチュエータハウジング。
【請求項９】
前記アクチュエータノズルが、前記第２部分軸に対して、遠位方向で上向きに角度付けされている噴霧軸を画定している、請求項７に記載のアクチュエータハウジング。
【請求項１０】
定量バルブを有するキャニスタと、請求項１〜９のいずれか一項に記載のアクチュエータハウジングとを備える、定量吸入装置であって、前記定量バルブが、前記アクチュエータハウジングの前記基底部分内に形成されている、前記アクチュエータ座部と係合するように動作可能である、定量吸入装置。
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
歯科用物体をビルドアップする方法であって、  前記物体の三次元形状を、前記形状を表すコンピュータ処理可能なデータの形態で決定するステップと、
少なくとも第１及び第２の成分を混合して硬化性組成物を形成するステップと、
ノズルを介して前記硬化性組成物を堆積させるステップと、
前記データに基づいてコンピュータ制御により前記ノズルを移動することと組合わせてステップ（ｉｉ）及び（ｉｉｉ）を実行して、前記硬化性組成物を漸増的に堆積させることにより前記物体をビルドアップするステップと、
を含み、
前記方法は、第３の成分を供給するステップを更に含み、前記第２及び第３の成分は、異なる色を有する硬化した組成物を提供するように構成され、前記第１の成分は、光開始剤を有する光硬化性樹脂を形成し、前記第２及び第３の成分は、着色剤を含む、方法。
【請求項２】
前記硬化性組成物がステップ（ｉｉｉ）においてまだ完全に硬化しないように、前記硬化性組成物が選択され、かつ前記ステップ（ｉｉ）及び（ｉｉｉ）が実行される、請求項１に記載の方法。
【請求項３】
前記第２及び前記第３の成分は、異なる物理的特性、具体的には、異なる発色性、異なる硬度、異なる弾性率、及び／又は異なる透光性を有する前記硬化した組成物を提供するように構成された、請求項１又は２に記載の方法。
【請求項４】
混合用の前記第１、第２、及び第３の成分は、それぞれ第１の流量Ａ、第２の流量Ｂ、及び第３の流量Ｃで供給され、共通流量Ｄは、前記第２の流量Ｂ、前記第３の流量Ｃ、及び任意選択的に更なる成分の１つ以上の更なる流量の組合せにより形成され、Ａ：Ｄの混合比は、一定である、請求項３に記載の方法。
【請求項５】
前記硬化性組成物は、歯科用組成物である、請求項１から４のいずれか一項に記載の方法。
【請求項６】
前記物体の前記形状は、歯科用物体、例えば、歯科修復物又は歯列矯正ブラケットの形状に対応する、請求項５に記載の方法。
【請求項７】
前記物体は、材料除去により歯科用物体を得ることができる歯科用ブランクを形成する、請求項５に記載の方法。
【請求項８】
幾何学的に所定の支持構造体を用意するステップと、
前記硬化性組成物を前記支持構造体上に直接堆積させて、歯科用ブランクを形成するステップと、
前記支持構造体を使用して、ミリング仕上げ又は研削用の機械の受け部で前記歯科用ブランクを支えるステップと、
前記ミリング仕上げ又は研削用の機械の補助により、前記歯科用ブランクから歯科用物体を機械仕上げするステップと、
を更に含む、請求項１から７のいずれか一項に記載の方法。
【請求項９】
堆積中に粘度を変更するための励起に前記硬化性組成物を曝露するステップを更に含む、請求項１から８のいずれか一項に記載の方法。
【請求項１０】
堆積した硬化性組成物の増分を照射するステップを更に含む、請求項１から９のいずれか一項に記載の方法。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
定量吸入装置用のアクチュエータハウジングであって、
第１の端部及び第２の端部を有する、略管状の実質的に中空の第１部分と、
前記第２の端部に形成されている基底部分と、
前記基底部分内に形成されているアクチュエータ座部と、
前記アクチュエータ座部内に形成されており、計量された流体の噴霧を分配するように動作可能な、アクチュエータノズルと、
近位端と遠位端との間に延びる長手方向軸を有し、前記近位端と前記遠位端との間に外側表面を有しており、前記近位端が、前記略管状の実質的に中空の第１部分の、前記第２の端部に隣接して配置され、前記遠位端が、マウスピース端面を画定している、実質的に中空で管状の第２の部分と、を備え、前記実質的に中空で管状の第２の部分が、前記外側表面上に形成されている第１領域及び第２領域を含み、前記第２領域が、前記第１領域よりも、前記近位端に近接して存在し、封止領域を画定するように構成されており、前記第１領域が、前記遠位端に隣接して配置され、ガイド領域を画定するように構成されている、アクチュエータハウジング。
【請求項２】
前記第２領域が、前記マウスピース端面から遠く離れた前記第１領域の端部から、前記外側表面に沿って、前記長手方向軸に実質的に平行な方向で、少なくとも１０ｍｍにわたって延びている、請求項１に記載のアクチュエータハウジング。
【請求項３】
前記第１領域が、前記マウスピース端面から５ｍｍ以内まで延びている、請求項１又は２に記載のアクチュエータハウジング。
【請求項４】
前記第２の中空で管状の部分の前記外側表面が、円周面を含み、前記第１領域が、前記円周面の少なくとも円周の一部分の周りに延びている、請求項１〜３のいずれか一項に記載のアクチュエータハウジング。
【請求項５】
前記第１領域が、前記第１領域から外向きに突出している、少なくとも１つの要素を備える、請求項１〜４のいずれか一項に記載のアクチュエータハウジング。
【請求項６】
前記第１領域が、前記実質的に中空で管状の第２の部分の前記外側表面内に凹部を提供する、少なくとも１つの要素を備える、請求項１〜４のいずれか一項に記載のアクチュエータハウジング。
【請求項７】
前記第１領域が、前記実質的に中空で管状の第２部分の前記外側表面内に形成されている、複数の開口を備える、請求項１〜４のいずれか一項に記載のアクチュエータハウジング。
【請求項８】
前記実質的に中空で管状の第２の部分の前記近位端に隣接する、前記第２領域の端部に配置されている、環状突起部を更に備え、前記環状突起部が、前記第２領域の端部を画定している請求項１〜７のいずれか一項に記載のアクチュエータハウジング。
【請求項９】
定量バルブを有するキャニスタと、請求項１〜８のいずれか一項に記載のアクチュエータハウジングとを備える定量吸入装置であって、前記定量バルブが、前記アクチュエータハウジングの前記基底部分内に形成されている、前記アクチュエータ座部と係合するように動作可能である、定量吸入装置。
【請求項１０】
噴霧を送達するためのマウスピースを有するアクチュエータを備える、定量吸入装置の製造方法であって、前記アクチュエータが、前記定量吸入装置のユーザが前記ユーザの口の中に前記マウスピースを十分遠くまで入れやすくなるように構成されていることにより、前記ユーザの唇が、前記マウスピースの封止領域に対して快適な封止を作り出す一方で、前記ユーザの歯によって前記噴霧が妨害されないことが確実となる、製造方法。
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
マルチルーメン医療用物品を固定するための固定システムであって、前記医療用物品は、マルチルーメン接合部と、前記マルチルーメン接合部に接続された少なくとも２つの近位管材と、前記マルチルーメン接合部に接続された少なくとも１つの遠位管材と、を備え、前記システムは、
長手方向と、
パッチであって、
前記医療用物品の少なくとも一部を受け入れるように構成された第１の主面、及び
皮膚接触接着剤を備える、前記第１の主面の反対側の第２の主面、を備える、パッチと、
長手方向フラップであって、
第１の主面、
前記医療用物品の少なくとも一部及び前記パッチの前記第１の主面に連結されるように構成された、前記第１の主面の反対側の第２の主面、
前記パッチに対して固定されている固定近位部分、
前記パッチの外周内に位置決めされたヒンジであって、前記ヒンジは前記パッチの前記外周まで延びることも又は前記外周の一部を形成することもなく、前記ヒンジは、前記パッチの横幅よりも小さくかつ前記フラップの横幅よりも小さい横幅を有し、前記ヒンジは前記医療用物品の２つの隣接する近位管材の間に受け入れられるような寸法となっている、ヒンジ、並びに
前記ヒンジを介して前記パッチ及び前記フラップの前記固定近位部分に対して開いた位置と閉じた位置との間で移動可能な、自由な遠位部分であって、前記医療用物品の少なくとも前記マルチルーメン接合部を前記パッチの前記第１の主面に固定するように構成されている、自由な遠位部分、を備える、長手方向フラップと
を備える、固定システム。
【請求項２】
前記ヒンジは前記マルチルーメン医療用物品に長手方向の停止部を提供する、請求項１に記載のシステム。
【請求項３】
前記フラップは、前記フラップの前記固定近位部分に隣接して位置決めされた少なくとも２つの近位切欠き領域を更に含み、各近位切欠き領域は前記フラップの外周から前記フラップの中心部に向かって延びており、前記近位切欠き領域のそれぞれは前記医療用物品の近位管材を受け入れるように構成されており、前記ヒンジは２つの隣接する近位切欠き領域の間に位置決めされている、請求項１又は２に記載のシステム。
【請求項４】
前記フラップは、前記フラップの外周から前記フラップの中心部に向かって延びている少なくとも１つの近位切欠き領域を含み、前記近位切欠き領域は前記医療用物品の近位管材を受け入れるように構成されており、各近位切欠き領域は少なくとも部分的に前記フラップの近位突出部によって画定される、請求項１〜３のいずれか一項に記載のシステム。
【請求項５】
前記近位突出部は前記フラップの前記固定近位部分及び前記ヒンジを含む、請求項４に記載のシステム。
【請求項６】
前記フラップは２つの近位切欠き領域及び３つの近位突出部を含み、真ん中の近位突出部は前記フラップの前記固定近位部分及び前記ヒンジを含む、請求項４又は５に記載のシステム。
【請求項７】
少なくとも１つの近位切欠き領域は、（ｉ）前記フラップの前記固定近位部分及び前記ヒンジを含む前記フラップの第１の近位突出部と、（ｉｉ）前記フラップが前記医療用物品に固定されるときに前記医療用物品の少なくとも一部の周囲に巻かれるように構成された第２の近位突出部と、によって画定される、請求項４〜６のいずれか一項に記載のシステム。
【請求項８】
少なくとも１つの近位切欠き領域は、鍵穴形状、矩形、三角形、叉状、Ｌ形状、又はこれらの組合せである、請求項４〜７のいずれか一項に記載のシステム。
【請求項９】
前記フラップは、前記フラップの前記自由な遠位部分内に位置決めされた少なくとも１つの遠位切欠き領域を含み、前記少なくとも１つの遠位切欠き領域は前記フラップの外周から前記フラップの中心部に向かって延びており、前記少なくとも１つの遠位切欠き領域は前記医療用物品の遠位管材を受け入れるような寸法となっている、請求項１〜８のいずれか一項に記載のシステム。
【請求項１０】
前記システムは前記フラップよりも剛性の高い剛性構成要素を含んでいない、請求項１〜９のいずれか一項に記載のシステム。
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
光学効果層（ＯＥＬ）を基材上に生成するプロセスであって、
ａ）非球状の磁性顔料粒子又は磁化可能顔料粒子を含む第１の状態の放射線硬化性被膜組成物を基材表面に適用するステップと、
ｂ）
ｉ）前記基材表面に対して実質的に垂直なＮＳ磁気軸を有する単一のループ状双極子磁石、又はループ状構成に配設され、前記基材表面に対して実質的に垂直なＮＳ磁気軸を結果的に有する２つ以上の双極子磁石の組み合わせのいずれかであるループ状磁界発生装置（ｘ３０）と、
ｉｉ）前記基材表面に対して実質的に平行なＮＳ磁気軸を有する単一の棒状双極子磁石、又は前記基材表面に対して実質的に平行なＮＳ磁気軸を結果的に有する２つ以上の棒状双極子磁石の組み合わせのいずれかである磁界発生装置（ｘ４０）と、
を備えた磁気アセンブリの磁界に前記放射線硬化性被膜組成物を曝露することにより、前記非球状の磁性顔料粒子又は磁化可能顔料粒子の少なくとも一部を配向させるステップと、
ｃ）前記ステップｂ）の前記放射線硬化性被膜組成物を少なくとも部分的に硬化させて第２の状態とすることにより、前記非球状の磁性顔料粒子又は磁化可能顔料粒子をそれぞれの位置及び配向に固定するステップと、
を含み、
前記光学効果層が、前記光学効果層を傾斜させることによりサイズが変化するループ状体に見える光学的印象をもたらす、プロセス。
【請求項２】
前記ステップａ）が、印刷プロセス、好ましくはスクリーン印刷、グラビア印刷、及びフレキソ印刷から成る群から選択される印刷プロセスによって実行される、請求項１に記載のプロセス。
【請求項３】
複数の前記非球状の磁性粒子又は磁化可能粒子の少なくとも一部が、光学可変性の非球状の磁性顔料粒子又は磁化可能顔料粒子により構成されている、請求項１又は２に記載のプロセス。
【請求項４】
前記光学可変性の磁性顔料又は磁化可能顔料が、磁気薄膜干渉顔料、磁気コレステリック液晶顔料、及びこれらの混合物から成る群から選択される、請求項３に記載のプロセス。
【請求項５】
前記ステップｃ）が、前記ステップｂ）と一部同時に実行される、請求項１〜４のいずれか一項に記載のプロセス。
【請求項６】
前記非球状の磁性粒子又は磁化可能粒子が、血小板状の顔料粒子であり、第１の磁界発生装置の動的な磁界に対して前記放射線硬化性被膜組成物を曝露することにより、前記血小板状の磁性顔料粒子又は磁化可能顔料粒子の少なくとも一部を２軸配向させるステップであって、前記ステップａ）の後且つ前記ステップｂ）の前に実行される、ステップをさらに含む、請求項１〜５のいずれか一項に記載のプロセス。
【請求項７】
硬化した放射線硬化性被膜組成物中に配向された非球状の磁性顔料粒子又は磁化可能顔料粒子を含む光学効果層（ＯＥＬ）を基材上に生成するための磁気アセンブリであって、
ａ）前記基材表面に対して実質的に垂直なＮＳ磁気軸を有する単一のループ状双極子磁石、又はループ状構成に配設され、前記基材表面に対して実質的に垂直なＮＳ磁気軸を結果的に有する２つ以上の双極子磁石の組み合わせのいずれかであるループ状磁界発生装置（ｘ３０）と、
ｂ）前記基材表面に対して実質的に平行なＮＳ磁気軸を有する単一の棒状双極子磁石、又は前記基材表面に対して実質的に平行なＮＳ磁気軸を結果的に有する２つ以上の棒状双極子磁石の組み合わせのいずれかである磁界発生装置（ｘ４０）と、
を備える、磁気アセンブリ。
【請求項８】
光学効果層（ＯＥＬ）を基材上に生成するための、請求項７に記載の磁気アセンブリの使用。
【請求項９】
請求項７に記載の磁気アセンブリを少なくとも１つ備えた回転磁気シリンダ、又は請求項７に記載の磁気アセンブリを少なくとも１つ備えた平台印刷ユニットを備えた印刷アセンブリ。
【請求項１０】
被覆若しくは印刷ユニット及び／又は硬化ユニットをさらに備える、請求項９に記載の印刷アセンブリ。
【請求項１１】
光学効果層（ＯＥＬ）を基材上に生成するための、請求項９又は１０に記載の印刷アセンブリの使用。
【手続補正書】
【提出日】令和1年10月16日(2019.10.16)
【手続補正１】
【補正対象書類名】明細書
【補正対象項目名】０００８
【補正方法】変更
【補正の内容】
【０００８】
（発明の詳細な説明）
（本発明による組成物）
本発明の触媒組成物は、
−  酸化数（＋ＩＩ）を有するニッケルの少なくとも１種の前駆体と、
−  式［Ｒ３−ｍＡｌＸｍ］ｎを有する少なくとも１種の活性剤であって、基Ｘは、アルコキシ基−ＯＲまたはハロゲンであり、基Ｒは、相互に同一または異なっており、アルキルまたは芳香族の基から選択され、ｎは、１〜２の値を有し、ｍは、１〜３の値を有する、活性剤と、
−  ハロゲン化ホスフィンＹＰ（ＡＲ１ａ）（Ａ’Ｒ１ｂ）と式Ｒ２ＳＯ２ＮＨ２を有するスルホンアミド化合物との、場合によってはＺで示されるルイス塩基の存在下での少なくとも１種の混合物と
を含み、
ここで、
−  ＡおよびＡ’は、同一であっても異なってもよく、独立してＯ、Ｓ、ＮＲ３またはリン原子と炭素原子との間の単結合であり、
−  基Ｒ３は、ハロゲン原子またはアルキル基または芳香族基のいずれかであり、該アルキル基は、環式であっても環式でなくてもよく、置換されてもされてなくてもよく、ヘテロ原子を含有してもしてなくてもよく、該芳香族基は、置換されてもされてなくてもよく、ヘテロ原子を含有してもしてなくてもよく、
−  基Ｒ１は、Ｒ１ａおよびＲ１ｂによって示され、Ｒ１ａおよびＲ１ｂは、相互に同一であるかまたは異なり、一緒に結合されてもされてなくてもよく、アルキル基および芳香族基から選択され、該アルキル基は、環式であっても環式でなくてもよく、置換されてもされてなくてもよく、ヘテロ原子を含有してもしてなくてもよく、該芳香族基は、置換されてもされてなくてもよく、ヘテロ原子を含有してもしてなくてもよく、
−  基Ｒ２は、アルキル基および芳香族基から選択され、該アルキル基は、環式であっても環式でなくてもよく、置換されてもされてなくてもよく、ヘテロ原子を含有してもしてなくてもよく、該芳香族基は、置換されてもされてなくてもよく、ヘテロ原子を含有してもしてなくてもよく、
−  基Ｙは、ハロゲン、好ましくは塩素である。
【手続補正２】
【補正対象書類名】明細書
【補正対象項目名】００１８
【補正方法】変更
【補正の内容】
【００１８】
２つの基Ｒ１（Ｒ１ａおよびＲ１ｂ）は、相互に同一であっても異なっていてもよい。これらの２つの基Ｒ１ａおよびＲ１ｂは、一緒に結合されていてもよい。このような場合において、２つの基Ｒ１ａおよびＲ１ｂは、ビス−フェニルまたはビス−ナフチル等の基に対応してよい。
【手続補正３】
【補正対象書類名】明細書
【補正対象項目名】００５４
【補正方法】変更
【補正の内容】
【００５４】
工程ａ）は、好ましくは−８０℃〜１２０℃の範囲内の温度で、有利には有機溶媒中で行われる。ルイス塩基が、工程ａ）の縮合反応のための試薬に対して過剰に、例えば試薬の当量当たり１．１〜３当量で用いられてよい。ハロゲン化ホスフィンＹＰ（ＡＲ１ａ）（Ａ’Ｒ１ｂ）および式Ｒ２ＳＯ２ＮＨ２を有するスルホンアミド化合物の試薬は、有利には、化学量論量で反応させられる。ハロゲン化ホスフィンＹＰ（ＡＲ１ａ）（Ａ’Ｒ１ｂ）は、式Ｒ２ＳＯ２ＮＨ２を有するスルホンアミド化合物に対するモル比：０．２〜１で用いられてよい。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
研磨用物品であって、複数の逐次的に形成された層からなる第１の研磨要素を備え、
前記複数の逐次的に形成された層が、
第１の層と、前記第１の層の表面上に配置された第２の層とを含み、
前記第１の層が、
上に第１の層が形成される表面上に配置された第１のパターンのポロシティ形成剤含有領域と、
第１の構造材料含有領域であって、前記表面上で、前記第１のパターンで隣接して位置するポロシティ形成剤含有領域間に配置されている、第１の構造材料含有領域と
を含み、
前記第２の層が、
前記第１の層の前記表面上に配置された第２のパターンのポロシティ形成剤含有領域と、
第２の構造材料含有領域であって、前記第１の層の前記表面上で、隣接して置かれた前記第２のパターンのポロシティ形成剤含有領域間に配置されている、第２の構造材料含有領域と
を含み、
前記第１の及び前記第２の構造材料含有領域が、それぞれ、第１の樹脂前駆体成分と第２の樹脂前駆体成分と第１の硬化剤とから形成された材料を含む、研磨用物品。
【請求項２】
前記第１のパターン及び第２のパターンのポロシティ形成剤材料含有領域は、それぞれ、水溶液に曝露されたときに分解するポロシティ形成剤材料を含む、請求項１に記載の研磨用物品。
【請求項３】
前記ポロシティ形成剤材料は、アクリレートをさらに含む、請求項２に記載の研磨用物品。
【請求項４】
前記第１の構造材料含有領域と前記第２の構造材料含有領域が、それぞれアクリレートを含む材料を含む、請求項１に記載の研磨用物品。
【請求項５】
前記第１の構造材料含有領域内に形成された構造材料が、上に前記第１の層が形成される前記表面に平行な少なくとも１つの方向に材料組成の勾配を有する、請求項１に記載の研磨用物品。
【請求項６】
前記第２の構造材料含有領域内に形成された構造材料が、前記第１の層の前記表面に平行な少なくとも１つの方向に材料組成の勾配を有する、請求項５に記載の研磨用物品。
【請求項７】
前記第１のパターンのポロシティ形成剤含有領域は、前記第１の層の前記表面と平行な方向に、前記第２のパターンのポロシティ形成剤含有領域からある距離で互い違いにずれている、請求項１に記載の研磨用物品。
【請求項８】
研磨用物品であって、複数の逐次的に形成された層からなる第１の研磨要素を備え、
前記複数の逐次的に形成された層が、
第１の層と、前記第１の層の表面上に配置された第２の層とを含み、
前記第１の層が、
上に第１の層が形成される表面上に配置された第１のパターンのポロシティ形成剤含有領域と、
第１の構造材料含有領域であって、前記表面上で、前記第１のパターンで隣接して位置するポロシティ形成剤含有領域間に配置されている、第１の構造材料含有領域と
を含み、
前記第２の層が、
前記第１の層の前記表面上に配置された第２のパターンのポロシティ形成剤含有領域と、
第２の構造材料含有領域であって、前記第１の層の前記表面上で、隣接して置かれた前記第２のパターンのポロシティ形成剤含有領域間に配置されている、第２の構造材料含有領域と
を含み、
前記第１の及び前記第２の構造材料含有領域が、それぞれ、二以上の官能性を有する脂肪族多官能性ウレタンアクリレートを含有する樹脂前駆体成分から形成された材料を含む、研磨用物品。
【請求項９】
研磨用物品であって、複数の逐次的に形成された層からなる第１の研磨要素を備え、
前記複数の逐次的に形成された層が、
第１の層と、前記第１の層の表面上に配置された第２の層とを含み、
前記第１の層が、
上に第１の層が形成される表面上に配置された第１のパターンのポロシティ形成剤含有領域と、
第１の構造材料含有領域であって、前記表面上で、前記第１のパターンで隣接して位置するポロシティ形成剤含有領域間に配置されている、第１の構造材料含有領域と
を含み、
前記第２の層が、
前記第１の層の前記表面上に配置された第２のパターンのポロシティ形成剤含有領域と、
第２の構造材料含有領域であって、前記第１の層の前記表面上で、隣接して置かれた前記第２のパターンのポロシティ形成剤含有領域間に配置されている、第２の構造材料含有領域と
を含み、
前記第１の及び前記第２の構造材料含有領域は、第１の量のオリゴマー、第２の量のモノマーから形成された材料をそれぞれ含み、前記第１の量対前記第２の量の重量比が約３：１〜約１：３である、研磨用物品。
【請求項１０】
前記第１の及び前記第２の構造材料含有領域が、それぞれ、多官能性ウレタンオリゴマー、ポリエステルアクリレートオリゴマー、ポリエーテルアクリレートオリゴマー、エポキシアクリレートオリゴマー、単官能性アクリレートモノマー、または多官能性アクリレートモノマーを含む、ある量の第１の前駆体調合物を部分的に硬化することによって形成された材料を含む、請求項１に記載の研磨用物品。
【請求項１１】
前記第１の構造材料含有領域は、上に前記第１の層が形成される前記表面上に堆積された複数の液滴を分注し硬化することによって形成され、硬化された前記液滴は、前記表面に対して５０°以上の接触角を有し、
前記第２の構造材料含有領域は、前記第１の層の前記表面上に堆積された複数の液滴を分注し硬化することによって形成され、硬化された前記液滴は、前記表面に対して５０°以上の接触角を有する、
請求項１に記載の研磨用物品。
【請求項１２】
前記第１の及び前記第２の層とは異なる材料組成を有する複数のポリマー層をそれぞれが含む１つ以上の第２の研磨要素をさらに含み、前記１つ以上の第２の研磨要素のそれぞれの少なくとも１つの領域が、前記第１の研磨要素と前記研磨用物品の支持面の間に配置されている、
請求項１に記載の研磨用物品。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
ワークピースをレーザー穿孔するための装置であって、該装置は、
第一の音響光学変調器（ＡＯＭ）（１２）および第二の音響光学変調器（ＡＯＭ）（１４）と、
レーザー放射パルスを放出する一酸化炭素（ＣＯ）レーザー（１６）と
を備え、
該パルスにおける放射は、約４．５マイクロメートルと約６．０マイクロメートルとの間の波長範囲において複数の波長を有し、該レーザー放射パルスは、時間的前縁部分と、時間的後縁部分と、それらの間の第一の時間的中央部分および第二の時間的中央部分とを有し、該レーザー放射パルスは、第一の入射方向で該第一のＡＯＭに入射し、
該第一のＡＯＭ（１２）は、該レーザー放射パルスを受け取り、該パルスの、該時間的前縁部分と、該時間的後縁部分と、該第一の時間的中央部分および該第二の時間的中央部分のうちの一方とを該第一の入射方向に対してある角度で第一の波長に依存する一次回析方向に沿って回折させるように配置され、動作させられ、該パルスの該回折させられた部分は、波長の関数として角度付けで分散され、該第一のＡＯＭ（１２）は、該放射パルスの該第一の時間的中央部分および該第二の時間的中央部分のうちの他方を該第一の入射方向に対して平行である第一のゼロ次方向に沿って伝送し、
該第二のＡＯＭ（１４）は、該第一のＡＯＭから該回折させられたパルス部分を受け取り、第一の時間的パルス部分および第二の時間的パルス部分のうちの他方を第二の波長に依存する一次回折方向に沿って回折させ、該前縁部分および該後縁部分を該第二の波長に依存する一次回折方向に対してある角度で第二のゼロ次方向に沿って伝送するように配置され、動作させられ、該第一の時間的中央部分および該第二の時間的中央部分は、該ワークピースを穿孔するために使用され、該第二のＡＭＯによる回折は、該第一のＡＯＭにおける回折によって生成される該パルスの時間的部分の角度付けの波長分散を低減させる、装置。
【請求項２】
前記第一のＡＯＭおよび前記第二のＡＯＭは、前記第一のゼロ次方向と前記第二の波長に依存する一次回折方向とが互いに対してほぼ平行であるように配置され、動作させられる、請求項１に記載の装置。
【請求項３】
第一の音響光学変調器（ＡＯＭ）および第二の音響光学変調器（ＡＯＭ）を用いてレーザーパルスをスライスする方法であって、該レーザーパルスの各々は、時間的前縁部分と、時間的後縁部分と、それらの間の第一の時間的中央部分および第二の時間的中央部分とを有し、該レーザーパルスは、一酸化炭素レーザーによって発生させられ、該方法は、
該第一のＡＯＭへパルスを向かわせるステップと、
第一の期間中、該パルスの該時間的前縁部分が該第二のＡＯＭへの経路に沿って回析させられるように該第一のＡＯＭを起動させ、該第一の期間中、該パルスの該時間的前縁部分が回折させられずにビームダンプへ向けられるように該第二のＡＯＭを停止させるステップと、
第二の期間中、該パルスの該第一の時間的中央部分が回折させられず、ワークピースへ向けられるように該第一のＡＯＭを停止させるステップと、
第三の期間中、該第二の時間的中央部分が該第一のＡＯＭおよび該第二のＡＯＭの両方によって回折させられ、ワークピースへ向けられるように該第一のＡＯＭおよび該第二のＡＯＭの両方を起動させるステップであって、該第二の時間的中央部分での該第一のＡＯＭにおける回折によって誘発される角度付けの波長分散は、該第二のＡＯＭにおける回折によって補償される、ステップと、
第四の期間中、該パルスの該時間的後縁部分が該第二のＡＯＭによって回折させられず、該第一のＡＯＭによって回折させられ、ビームダンプへ向けられるように該第一のＡＯＭを起動させ、該第二のＡＯＭを停止させるステップと
を含む、方法。
【請求項４】
前記第一のＡＯＭおよび前記第二のＡＯＭは、該第一のＡＯＭが停止させられているときに該第一のＡＯＭから出て行く前記レーザーパルスの経路が、該第二のＡＯＭが起動させられているときに該第二のＡＯＭから出て行く該レーザーパルスの経路に対して平行であり、かつ該第二のＡＯＭが起動させられているときに該第二のＡＯＭから出て行く該レーザーパルスの該経路から間隔を置かれるように配置されている、請求項３に記載の方法。
【請求項５】
第一の音響光学変調器（ＡＯＭ）および第二の音響光学変調器（ＡＯＭ）を用いてレーザーパルスをスライスする方法であって、該レーザーパルスの各々は、時間的前縁部分と、時間的後縁部分と、それらの間の第一の時間的中央部分および第二の時間的中央部分とを有し、該レーザーパルスは、一酸化炭素レーザーによって発生させられ、該方法は、
（ａ）該第一のＡＯＭへパルスを向かわせるステップと、
（ｂ）第一の期間中、該パルスの該時間的前縁部分が該第二のＡＯＭへの経路に沿って回析させられるように該第一のＡＯＭを起動させ、該第一の期間中、該パルスの該時間的前縁部分が回折させられずにビームダンプへ向けられるように該第二のＡＯＭを停止させるステップと、
（ｃ）第二の期間中、ステップ（ｄ）または（ｅ）のうちの一方を行うステップであって、
ステップ（ｄ）は、該パルスの該第一の時間的中央部分および該第二の時間的中央部分のうちの一方が回折させられず、ワークピースへ向けられるように該第一のＡＯＭを停止させるステップであり、または、
ステップ（ｅ）は、該第一の時間的中央部分および該第二の時間的中央部分のうちの該一方が該第一のＡＯＭおよび該第二のＡＯＭの両方によって回折させられ、ワークピースへ向けられるように該第一のＡＯＭおよび該第二のＡＯＭの両方を起動させるステップであり、該一方の時間的中央部分での該第一のＡＯＭにおける回折によって誘発される角度付けの波長分散は、該第二のＡＯＭにおける回折によって補償される、ステップと、
（ｆ）第三の期間中、該パルスの他方の時間的中央部分にステップ（ｄ）または（ｅ）のうちの他方を行うステップと、
（ｇ）第四の期間中、該パルスの該時間的後縁部分が該第二のＡＯＭによって回折させられず、該第一のＡＯＭによって回折させられ、ビームダンプへ向けられるように該第一のＡＯＭを起動させ、該第二のＡＯＭを停止させるステップと
を含む、方法。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
抗菌性銅イオン（Ｃｕ２＋）放出縫合糸であって、
少なくとも１種のポリマーから形成される少なくとも１つのフィラメントと、
生分解性コーティングであって、少なくとも１種の脂肪族ポリエステルと、銅イオン（Ｃｕ２＋）を提供する銅塩粒子を含み、前記生分解性コーティングが、前記生分解性コーティングから経時的に銅イオン（Ｃｕ２＋）を放出する様式で、前記少なくとも１つのフィラメントを少なくとも部分的にコーティングし、それによって、前記縫合糸上の細菌活性を減少させる、生分解性コーティング、
を含む、抗菌性銅イオン（Ｃｕ２＋）放出縫合糸。
【請求項２】
前記少なくとも１種の脂肪族ポリエステルが、ε−カプロラクトン、ラクチド、グリコリド、ジオキサノンおよびこれらのコポリマーのうちの１つ以上から重合されたポリマーからなる群から選択される、請求項１に記載の縫合糸。
【請求項３】
前記少なくとも１種の脂肪族ポリエステルが、乳酸−グリコシド共重合体（ＰＬＧＡ）を含む、請求項２に記載の縫合糸。
【請求項４】
前記生分解性コーティングが、モル基準でＤ，Ｌ−ラクチド６５％およびグリコリド３５％から製造されたコポリマーを含む、請求項１に記載の縫合糸。
【請求項５】
前記生分解性コーティングが、少なくとも１種の潤滑剤も含む、請求項１に記載の縫合糸。
【請求項６】
前記少なくとも１種の潤滑剤は、ステアリン酸銅およびステアリン酸カルシウムからなる群から選択される、請求項５に記載の縫合糸。
【請求項７】
前記少なくとも１つのフィラメントが生分解性である、請求項１に記載の縫合糸。
【請求項８】
前記銅塩粒子が、塩化銅（ＣｕＣｌ２）の粒子である、請求項１に記載の縫合糸。
【請求項９】
前記銅塩粒子が、１メートル当たり１３６μｇ以上の濃度で、前記縫合糸に銅イオン（Ｃｕ２＋）を提供する、請求項１に記載の縫合糸。
【請求項１０】
前記銅塩粒子が、０．１８５重量／重量％以上の量で、前記縫合糸に銅イオン（Ｃｕ２＋）を提供する、請求項１に記載の縫合糸。
【請求項１１】
抗菌性銅イオン（Ｃｕ２＋）放出縫合糸の製造方法であって、
少なくとも１種のポリマーを含む少なくとも１つのフィラメントを提供する工程と、
少なくとも１種の脂肪族ポリエステルと、銅イオン（Ｃｕ２＋）を提供する銅塩粒子を含む生分解性コーティングにより、前記少なくとも１つのフィラメントを少なくとも部分的にコーティングする工程であって、前記工程により前記銅イオンが前記生分解性コーティングから経時的に放出され、それによって、前記縫合糸上の細菌活性が減少する、工程
を包含する製造方法。
【請求項１２】
前記少なくとも１つのフィラメントおよび前記生分解性コーティングのうちの少なくとも１つに少なくとも１種の潤滑剤を添加することも含む、請求項１１に記載の製造方法。
【請求項１３】
前記銅塩粒子が塩化銅（ＣｕＣｌ２）の粒子である、請求項１１に記載の製造方法。
【請求項１４】
前記少なくとも１つのフィラメントが生分解性である、請求項１１に記載の製造方法。
【請求項１５】
前記少なくとも部分的なコーティングによって、１メートル当たり１３６μｇ以上の濃度で、前記縫合糸に銅イオン（ＣｕＣｌ２）を提供する、請求項１１に記載の製造方法。
【請求項１６】
前記少なくとも部分的なコーティングによって、０．１８５重量／重量％以上の量で、前記縫合糸に銅イオン（ＣｕＣｌ２）を提供する、請求項１１に記載の製造方法。
【請求項１７】
前記生分解性コーティングが、モル基準で６５％Ｄ，Ｌ−ラクチドおよび３５％グリコシドを包含する、請求項１１に記載の製造方法。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
マウスピースを定めるハウジング、
ユーザの呼吸特性を検出するセンサ配列、
外部データを受信する入力部、及び
呼吸命令又は運動に関係すると共に、前記検出される呼吸特性及び前記外部データを考慮している出力情報を提供し、それにより呼吸運動又は訓練プログラムを調整するのに適応する出力インジケータ
を有する、ポータブルな呼吸補助又は訓練装置において、
前記外部データは、
前記装置が使用されている環境条件、
前記ユーザに関する活動情報、
呼吸特性に関係ない、前記ユーザに関する生理学的センサのデータ、及び
前記ユーザにより使用されている何れかの医療補助装置の識別
の１つ以上に関係し、
前記出力インジケータは、運動又は訓練が行われる時間、及び/又は前記ユーザに対し設定される運動及び対応する目標の性質の指示を提供する、ポータブルな呼吸補助又は訓練装置。
【請求項２】
前記環境条件は、
温度、
時刻、
気象条件、
空気湿度、
空気質、
場所
雑音レベル、及び
移動速度
の１つ以上を有する、請求項１に記載の装置。
【請求項３】
前記活動情報は、
前記ユーザの現在の活動レベル、
前記ユーザの過去の活動レベル、及び
前記ユーザの将来の活動スケジュール
の１つ以上を有する、請求項１又は２に記載の装置。
【請求項４】
前記生理学的センサのデータは、
睡眠の質の情報
血中酸素飽和度
心拍数、及び
ストレス又は不安レベル
の１つ以上を示している、請求項１乃至３の何れか一項に記載の装置。
【請求項５】
前記ユーザの呼吸特性を検出するセンサ配列は、呼吸体積、呼吸振幅及び/又は呼吸頻度若しくはパターンを測定するためである、請求項１乃至４の何れか一項に記載の装置。
【請求項６】
出力が最も適しているときの予測に基づいて、前記外部データを考慮している、出力指示が与えられるタイミングを制御するための制御器を有する、請求項１乃至５の何れか一項に記載の装置。
【請求項７】
前記出力情報はさらに、呼吸運動の順守を示すこと、正しい呼吸パフォーマンスを示すこと、又は呼吸補助が提供されるタイミングに関する助言的タイミング情報を提供することである、請求項１乃至６の何れか一項に記載の装置。
【請求項８】
前記出力情報は、前記ユーザの基準の呼吸パターンを考慮している、特定の時間期間に息を吐くための命令を提供することである、請求項７に記載の装置。
【請求項９】
ポータブルな加圧されるガスの供給源を収容するため、大気圧より上の圧力で前記ユーザにガスを供給するためのコネクタをさらに有する請求項１乃至８の何れか一項に記載の装置において、前記装置はさらに任意でポータブルなガスキャニスタを有している、装置。
【請求項１０】
請求項１乃至９の何れか一項に記載のポータブルな呼吸補助又は訓練装置、及び
呼吸運動又は訓練の命令をユーザに供給するためのポータブルな表示装置
を有するシステム。
【請求項１１】
呼吸訓練を提供するための方法において、
呼吸運動又は訓練の命令をユーザに供給するステップ、
前記運動又は訓練中の前記ユーザの呼吸特性を検出するステップ、
外部データを受信するステップ、並びに
前記検出される呼吸特性及び前記外部データを考慮している、呼吸命令又は運動に関係する出力情報を提供するステップであり、それにより呼吸運動又は訓練プログラムを調整する、ステップ
を有し、前記外部データは、
装置が使用されている環境条件、
ユーザに関する活動情報、
呼吸特性に関係ない、前記ユーザに関する生理学的センサのデータ、及び
前記ユーザにより使用されている何れかの医療補助装置のインジケータ
の１つ以上に関係し、前記出力情報は、前記運動又は訓練が行われる時間、及び/又はユーザに対し設定される運動及び関連する目標の性質を有する、方法。
【請求項１２】
前記環境条件は、
温度、
時刻、
気象条件、
空気湿度、
空気質、
場所
雑音レベル、及び
移動速度
の１つ以上を有し、前記活動情報は、
前記ユーザの現在の活動レベル、
前記ユーザの過去の活動レベル、及び
前記ユーザの将来の活動スケジュール
の１つ以上を有する、請求項１１に記載の方法。
【請求項１３】
前記生理学的センサのデータは、
睡眠の質の情報
血中酸素飽和度
心拍数、及び
ストレス又は不安レベル
の１つ以上を示している、請求項１１又は１２に記載の方法。
【請求項１４】
出力が最も適しているときの予測に基づいて、前記外部データを考慮している、出力指示が与えられるタイミングを制御するステップを有する、請求項１１、１２又は１３に記載の方法。
【請求項１５】
前記出力情報はさらに、呼吸運動の順守を示すこと、正しい呼吸パフォーマンスを示すこと、又は呼吸補助が提供されるタイミングに関する助言的タイミング情報を供給することである、請求項１１乃至１４の何れか一項に記載の方法。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
構造化された光システムによって生成される深度マップにおける誤りを訂正するための方法であって、
複数の有効なコードワードおよび少なくとも1つの無効なコードワードを受信するステップであって、前記複数の有効なコードワードの各々が有効なコードワードのコードブックに含まれ、前記コードブックが前記少なくとも1つの無効なコードワードを含まず、各コードワードが構造化された光の画像の画素の少なくとも1つの行および少なくとも1つの列を表し、各コードワードが深度マップにおける位置に対応する、ステップと、
前記無効なコードワードを検出するステップと、
メモリユニットから、前記コードブックに含まれるコードワード候補を取り出すステップであって、前記メモリユニットに、前記無効なコードワードから第1のハミング距離にあるコードワード候補および前記無効なコードワードから第2のハミング距離にあるコードワード候補が格納され、前記第1のハミング距離が前記少なくとも1つの無効なコードワードと前記コードブックの中の前記コードワードとの間の最小のハミング距離であり、前記第2のハミング距離が前記第1のハミング距離より長い、ステップと、
前記深度マップにおける前記無効なコードワードの位置に隣接する少なくとも1つの位置を含む、前記深度マップの複数の位置に対する深度推定値を決定するステップと、
深度を前記コードワード候補の各々と関連付けるステップと、
前記決定された深度推定値に最も近い関連する深度を有する前記コードワード候補を選択するステップと、
前記選択されたコードワード候補と関連付けられる前記深度を前記無効なコードワードの前記位置に割り当てるステップとを備える、方法。
【請求項２】
画素の前記少なくとも1つの列の中の各画素が受信された光のエネルギーを表し、画素の前記少なくとも1つの列の中の各画素nが二値の値を有する、請求項1に記載の方法。
【請求項３】
前記少なくとも1つの無効なコードワードを検出するステップが、前記無効なコードワードが前記コードブックに含まれないことの指示を前記メモリユニットから取り出すステップを備える、請求項1に記載の方法。
【請求項４】
各々の受信された複数のコードワードおよび前記少なくとも1つの無効なコードワードが前記コードブックに含まれるかどうかの指示を前記メモリユニットに格納するステップをさらに備える、請求項1に記載の方法。
【請求項５】
前記少なくとも1つの無効なコードワードと前記コードワード候補の各々との間の前記第1のハミング距離が、異なる二値の値を有する画素の前記少なくとも1つの行および前記少なくとも1つの列の数である、請求項1に記載の方法。
【請求項６】
前記深度推定値を決定するステップが、前記深度マップの前記複数の位置のメジアン深度または平均深度を計算するステップを備える、請求項1に記載の方法。
【請求項７】
前記深度マップの前記複数の位置が、前記無効なコードワードの前記位置から閾値の位置の距離以下にある位置を含む、請求項1に記載の方法。
【請求項８】
前記閾値の距離が、前記深度マップの前記複数の位置の中の4個、8個、12個、20個、および24個の位置にそれぞれ対応する、1、√2、2、√5、2、または2√2である、請求項7に記載の方法。
【請求項９】
構造化された光システムによって生成される深度マップにおける誤りを訂正するための装置であって、
複数の有効なコードワードおよび少なくとも1つの無効なコードワードを記憶するための手段であって、前記複数の有効なコードワードの各々が有効なコードワードのコードブックに含まれ、前記コードブックが前記少なくとも1つの無効なコードワードを含まず、各コードワードが構造化された光の画像の画素の少なくとも1つの行および少なくとも1つの列を表し、各コードワードが深度マップにおける位置に対応する、手段と、
複数の有効なコードワードおよび少なくとも1つの無効なコードワードを受信するための手段と、
前記無効なコードワードを検出するための手段と、
前記記憶するための手段から、前記コードブックに含まれるコードワード候補を取り出すための手段であって、前記記憶するための手段に、前記無効なコードワードから第1のハミング距離にあるコードワード候補のセットおよび前記無効なコードワードから第2のハミング距離にあるコードワード候補の第2のセットが格納され、前記第1のハミング距離が前記少なくとも1つの無効なコードワードと前記コードブックの中の前記コードワードとの間の最小のハミング距離であり、前記第2のハミング距離が前記第1のハミング距離より長い、手段と、
前記深度マップにおける前記無効なコードワードの位置に隣接する少なくとも1つの位置を含む、前記深度マップの複数の位置に対する深度推定値を決定するための手段と、
深度を前記コードワード候補の各々と関連付けるための手段と、
前記決定された深度推定値に最も近い関連する深度を有する前記コードワード候補を選択するための手段と、
前記選択されたコードワード候補と関連付けられる前記深度を前記無効なコードワードの前記位置に割り当てるための手段とを備える、装置。
【請求項１０】
前記手段がメモリユニットを備え、前記受信するための手段がプロセッサを有する受信機を備える、請求項9に記載の装置。
【請求項１１】
各画素が受信される光のエネルギーを表し、各画素が二値の値によって表される、請求項9に記載の装置。
【請求項１２】
前記検出するための手段が、前記無効なコードワードが前記コードブックに含まれないことの指示を前記記憶手段から取り出すことによって、前記無効なコードワードを検出する、請求項9に記載の装置。
【請求項１３】
各々の受信されたコードワードが前記コードブックに含まれるかどうかの指示を前記記憶するための手段に格納するための手段をさらに備える、請求項9に記載の装置。
【請求項１４】
前記決定するための手段が、前記深度マップの前記複数の位置のメジアン深度または平均深度を計算することによって、前記深度推定値を推定するように構成される、請求項9に記載の装置。
【請求項１５】
前記深度マップの前記複数の位置が、前記無効なコードワードの前記位置から閾値の位置の距離以下にある位置を含み、前記閾値の距離が、前記深度マップの前記複数の位置の中の4個、8個、12個、20個、および24個の位置にそれぞれ対応する、1、√2、2、√5、2、または2√2である、請求項9に記載の装置。
【請求項１６】
構造化された光システムによって生成される深度マップにおける誤りを訂正するための命令を記憶するコンピュータ可読記憶媒体であって、前記命令が、実行されると、請求項1から8のいずれか一項に記載の方法を実行する、コンピュータ可読記憶媒体。